(57)【要約】航空機内（１２）用の頭上荷物収容部（１０）であって、格納部（２０）と、格納部（２０）に可動に取り付けられている上方扉（３０）と、機内に可動に取り付けられている下方扉（４０）と、を含んでおり、上方扉（３０）と下方扉（４０）は、閉位置と開位置との間で可動である。格納部（２０）の床パネル（２６）は、第１部分（２７）と、第１部分（２７）に可動に取り付けられた第２部分（２８）とを含んでおり、第２部分（２８）は、開位置で下方扉（４０）と傾斜面を形成して向上したアクセス性を提供する。頭上荷物収容部（１１０）には、格納部（１２０）の両端パネル（１２９）にてハンドル（１５０）が提供されており、１以上の非直隆起線（１６０、１６２）を含み、及び/又は、美観を向上させるために外面（１３２）の反射性を向上させている。頭上荷物収容部（２１０）は、改善されたＲＦＩＤ機能性を提供するＲＦＩＤ読取装置（２７０）を含んでいる。頭上荷物収容部（１０、１１０、２１０）は、一体的に取り付けられた手摺（２８０）を有する格納部（２０、１２０、２２０）を含んでいる。【選択図】図２Ｂ
2010523405.tif 000002
【特許請求の範囲】
【請求項１】
航空機内（１２）用の頭上荷物収容部（１０）であって、
空洞部（２１）を有する中空の格納部（２０）と、
前記格納部（２０）に取り付けられ、閉位置と開位置との間で可動である上方扉（３０）と、
前記機内に取り付けられ、閉位置と開位置との間で可動である下方扉（４０）と、を含んでおり、
前記格納部（２０）は、第１部分（２７）と、該第１部分（２７）に可動に取り付けられた前記下方扉（４０）に隣接した第２部分（２８）とを有した床パネル（２６）を含んでおり、
前記第２部分（２８）は、前記第１部分（２７）に対して相対的に下方に回動し、前記開位置で前記下方扉（４０）の方向に前記第１部分（２７）から延び出る傾斜面を形成することを特徴とする頭上荷物収容部（１０）。
【請求項２】
上方扉（３０）は、格納部（２０）に回動式に取り付けられており、
下方扉（４０）は、機内（１２）に回動式に取り付けられていることを特徴とする請求項１記載の頭上荷物収容部（１０）。
【請求項３】
格納部（２０）の床パネル（２６）の第２部分（２８）は、第１部分（２７）に回動式に取り付けられていることを特徴とする請求項１記載の頭上荷物収容部（１０）。
【請求項４】
床パネル（２６）の第２部分（２８）は、第１部分（２７）とは、少なくとも約５°の角度を有しており、約４５°を超えないことを特徴とする請求項１記載の頭上荷物収容部（１０）。
【請求項５】
床パネル（２６）の第１部分（２７）は、所定高（１５）で固定されており、
格納部（２０）の空洞部（２１）にアクセスするために必要な垂直高（１６）は、前記所定高（１５）よりも約７インチ（約１８ｃｍ）少ないことを特徴とする請求項１記載の頭上荷物収容部（１０）。
【請求項６】
航空機内（１１２）用の頭上荷物収容部（１１０）であって、
両端パネル（１２９）を有し、空洞部（１２１）を提供する中空の格納部（１２０）と、
前記格納部（１２０）の前記空洞部（１２１）へのアクセスを提供するように閉位置と開位置との間で可動に前記格納部（１２０）に取り付けられている少なくとも１体の扉体（１３０）と、
閉位置から開位置への前記扉体（１３０）の動きを可能にする少なくとも１体のハンドル（１５０）と、を含んでおり、
前記ハンドル（１５０）は、前記格納部（１２０）の前記両端パネル（１２９）の一方に隣接して配置されていることを特徴とする頭上荷物収容部（１１０）。
【請求項７】
閉位置にてハンドル（１５０）を扉体（１３０）の外面（１３２）と略面一とするように凹部（１３１）が前記扉体（１３０）に形成されていることを特徴とする請求項６記載の頭上荷物収容部（１１０）。
【請求項８】
航空機内（１１２）用の頭上荷物収容部（１１０）であって、
空洞部（１２１）を形成し、外面（１３２）を有する中空の格納部（１２０）と、
前記格納部（１２０）の前記空洞部（１２１）へのアクセスを提供するように閉位置と開位置との間で可動に前記格納部（１２０）に取り付けられている少なくとも１体の扉体（１３０）と、
前記格納部（１２０）の前記外面（１３２）上に形成された少なくとも１本の非直隆起線（１６０、１６２）と、を含んでいることを特徴とする頭上荷物収容部（１１０）。
【請求項９】
非直隆起線（１６０、１６２）は、湾曲線であり、縦方向に延びていることを特徴とする請求項８記載の頭上荷物収容部（１１０）。
【請求項１０】
格納部（１２０）の外面（１３２）上に形成されたハンドル（１５０）をさらに含んでおり、非直隆起線（１６０、１６２）は、前記ハンドル（１５０）の周囲に提供されていることを特徴とする請求項８記載の頭上荷物収容部（１１０）。
【請求項１１】
航空機内（１１２）用の頭上荷物収容部（１１０）であって、
空洞部（１２１）を形成し、外面（１３２）を有する中空の格納部（１２０）を含んでおり、
前記外面（１３２）は、機内（１１２）の照明を反射する反射率がアルベドスケールで少なくとも約０．５０以上であることを特徴とする頭上荷物収容部（１１０）。
【請求項１２】
航空機内（２１２）用の頭上荷物収容部（２１０）であって、
空洞部（２２１）を形成し、外面（２３２）を有する中空の格納部（２２０）と、
前記外面（２３２）上に設置されたＲＦＩＤ読取装置と、を含んでおり、
前記ＲＦＩＤ読取装置（２７０）は、該ＲＦＩＤ読取装置（２７０）が所定条件の達成を感知したことを知らせるＲＦＩＤ論理回路を含んでいることを特徴とする頭上荷物収容部（２１０）。
【請求項１３】
ＲＦＩＤ読取装置（２７０）は、電波（ＲＦ）信号を受信し、信号に対応する物品が格納部（２２０）の空洞部（２２１）内に収納されていることを示すことを特徴とする請求項１２記載の頭上荷物収容部（２１０）。
【請求項１４】
ＲＦＩＤ読取装置（２７０）は、電波（ＲＦ）信号を受信し、格納部（２２０）の空洞部（２２１）内に収納された電子装置（２７５）のスイッチが“オン”状態であるときに知らせることを特徴とする請求項１２記載の頭上荷物収容部。
【請求項１５】
航空機内（１２、１１２、２１２）用の頭上荷物収容部（１０、１１０、２１０）であって、
空洞部（２１、１２１、２２１）を有する中空の格納部（２０、１２０、２２０）と、
前記格納部（２０、１２０、２２０）上に可動に取り付けられ、一体的に取り付けられた手摺（２８０）を有する少なくとも１体の扉体（３０、１３０、２３０）と、を含んでいることを特徴とする頭上荷物収容部（１０、１１０、２１０）。
【発明の詳細な説明】
【技術分野】
【０００１】
本発明は、一般的に航空機内の装備構造に関する。特には、航空機内用の頭上荷物収容部に関する。
【０００２】
[関連出願の説明]
本願は、２００８年４月１１日に出願された米国特許願１２/１０１，５８０および２００７年４月１２日に出願された米国仮特許願６０/９２３，０６２の優先権を主張する。
【背景技術】
【０００３】
世界中で、飛行機による旅行を経験している人々の数は増加している。同時に、客室乗務員（例：スチュワーデス、スチュワード、接客乗務員）一人当たりの平均乗客（搭乗旅客）数は経済的要因から増加している。その結果、航空機内の設備（例：客室に持ち込まれる手荷物を保管する収納区分である“頭上荷物収容部”）は、多様に異なる身長、年齢および動作能力の人々が利用できるように設計されなければならない。特に、頭上荷物収容部は、女性や老人のごとき身長が低い人や、動作が困難な人にも容易に利用できるものでなければならない。これらの人々は、真下の乗客の頭上スペースを犠牲にすることなく降下させられない通常の頭上荷物収容部に手が届かない（アクセスできない）ことが多い。例えば、人類学並びに人体計測学による研究によれば、ほぼ５％のアジアの女性は、ボーイング７３７飛行機の標準頭上荷物収容部にアクセスできない。人によっては、標準的な頭上荷物収容部に届くには、７インチ（約１８ｃｍ）以上足りない。
【０００４】
従来の頭上荷物収容部を人間工学的に改善することに加えて、機内を美観的に向上させる経済的理由が存在する。休暇や観光を目的とする旅客を引き付けるための民間航空会社間の競争は、機内の美観にも向けられた。特に民間航空会社は、自然光の採光、表面光沢およびデザインを向上させる構造が簡単で近代的であって、美観にも優れた内装を求めている。機内装備、特に頭上荷物収容部は、人間工学的および美観に優れているだけではなく、新規で開発途上の技術を利用して設計されなければならない。例えば、新規で異なる利用形態を目指して高周波識別技術（ＲＦＩＤ）が開発されつつある。その結果、航空機内の頭上荷物収容部を、ＲＦＩＤ技術を利用して現在および将来に要求される機能性を提供するように設計する需要が存在する。
【発明の概要】
【発明が解決しようとする課題】
【０００５】
従って、人間工学的に優れており、美観的にも優れた機内用の頭上荷物収容部の需要が存在する。特に、平均よりも身長が低く、年配者である人々のような様々な身長と年齢の人々が容易に利用できるように設計された頭上荷物収容部が求められている。さらに、自然光をさらに多量に採り入れ、表面光沢が優れており、デザイン的にも優れた美的な頭上荷物収容部が求められている。さらに、ＲＦＩＤ技術を利用して現在と未来に求められるＲＦＩＤの性能を提供するように設計された頭上荷物収容部が求められている。
【課題を解決するための手段】
【０００６】
一つの特徴において、本発明は、空洞部を有する略中空の格納部と、上方扉と、下方扉とを含む航空機内用の頭上荷物収容部の１実施形態を提供する。この格納部は機内に取り付けられる。上方扉は、格納部に取り付けられ、閉位置（閉じられた位置）と開位置（開かれた位置）との間で可動である。下方扉は、機内に取り付けられ、閉位置と開位置との間で可動である。格納部は、第１部分と、その第１部分に可動に取り付けられた下方扉に隣接した第２部分とを有した床部を含む。上方扉と下方扉は、それらの閉位置において格納部の空洞部を共同で閉じる。上方扉は、開位置で格納部に対して相対的に上方に回動し、下方扉は、機内に対して相対的に下方に回動する。下方扉が下方に回動すると、格納部の床部の第２部分は、第１部分に対して相対的に下方に回動し、下方扉の方向に第１部分から延び出る傾斜面を形成する。従って格納部の空洞部へのアクセスに必要な垂直距離は大きく短縮される。
【０００７】
別の特徴によれば、本発明は、空洞部を有する略中空の格納部と、外面とを有した機内用の頭上荷物収容部を提供する。この格納部は、その外面上の少なくとも１箇所に非直隆起線を含む。１例示的実施形態によれば、外面に形成された非直隆起線は湾曲線である。別な例示的実施形態によれば外面に形成されたこの非直隆起線は縦方向に延びている。さらに別な例示的実施形態では、外面に形成されたこの非直隆起線は複合形態の湾曲線を形成する。いずれにしろ、この非直隆起線は、頭上荷物収容部の美観を向上させるように収納区分の外面に提供されている。
【０００８】
別の特徴によれば、本発明は、空洞部を有する略中空の格納部と、外面とを有した機内用の頭上荷物収容部を提供する。格納部の外面は、頭上荷物収容部の美観がさらに向上するように、機内の照明を反射する反射率がアルベドスケールで少なくとも約０．５０以上である。
【０００９】
さらに別な特徴によれば、本発明は、空洞部を有する略中空の格納部と、ＲＦＩＤ読取装置（受信器）とを有した機内用の頭上荷物収容部を提供する。１例示的実施形態においてはこの格納部は、外面を有し、ＲＦＩＤ読取装置は、その外面上に設置される。別な例示的実施形態においては、ＲＦＩＤ読取装置が所定条件の達成を感知したことを知らせるＲＦＩＤ論理回路を含む。さらに別な例示的実施形態では、ＲＦＩＤ読取装置は、電波（ＲＦ）信号を受信し、信号に対応する物品が格納部の空洞部内に収納されていることを示す。さらに別な例示的実施形態では、ＲＦＩＤ読取装置は、ＲＦ信号を受信し、格納部の空洞部内に収納された電子装置のスイッチが“オン”状態であるときに知らせる。
【００１０】
さらに別な特徴によれば、本発明は、空洞部を有する略中空の格納部を含んだ機内用の頭上荷物収容部を提供する。この頭上荷物収容部は、さらに格納部上に可動に取り付けられた少なくとも１体の扉体と、一体的に取り付けられた手摺とを含む。１例示的実施形態では、この扉体は、格納部上に可動に取り付けられた上方扉と、機内で可動に取り付けられている下方扉とを含んでいる。別実施形態では、上方扉と下方扉は、格納部の空洞部にアクセスさせるように閉位置と開位置との間でそれぞれ可動である。
【００１１】
本発明の航空機内用の頭上荷物収容部は、添付の図面を利用した以下の詳細な説明により最良に理解されるであろう。
【図面の簡単な説明】
【００１２】
【図１Ａ】図１Ａは、従来式の頭上荷物収容部を示す斜視図である。
【図１Ｂ】図１Ｂは、図１Ａで示す従来式の頭上荷物収容部へのアクセスが限定的であることを示す側面図である。
【図２Ａ】図２Ａは、改良された人間工学性とアクセス性とを提供するように本発明に従って設計された頭上荷物収容部の例示的実施例を示す。
【図２Ｂ】図２Ｂは、図２Ａで示す頭上荷物収容部の改良された人間工学性とアクセス性とを図示する側面図である。
【図３】図３は、図２Ａで示す頭上荷物収容部の例示的実施例を示す別な斜視図である。
【図４】図４は、美観をさらに改善するよう本発明により設計された頭上荷物収容部の別な例示的実施例を示す斜視図である。
【図５】図５は、図４で示す頭上荷物収容部の例示的実施例を示す別な斜視図である。
【図６】図６は、美観をさらに改善するよう本発明により設計された頭上荷物収容部の別な例示的実施例を示す斜視図である。
【図７】図７は、図６で示す頭上荷物収容部の例示的実施例を示す別な斜視図である。
【図８】図８は、ＲＦＩＤ機能性を改善するために本発明により設計された頭上荷物収容部の別実施例を示す斜視図である。
【図９】図９は、図８で示す頭上荷物収容部の例示的実施例を示す別な斜視図である。
【図１０】図１０は、一体型の手摺を提供するように本発明により設計された頭上荷物収容部の別な例示的実施例を示す斜視図である。
【発明を実施するための形態】
【００１３】
図１Ａは、航空機Ａのごとき搬送手段に、従来式に手荷物を収納する従来式の頭上荷物収容部ＬＢを図示する。この頭上荷物収容部ＬＢは、手荷物Ｌを収納する空洞部ＩＣを有する略中空の箱型格納部ＳＣを含む。頭上荷物収容部ＬＢは、格納部ＳＣに可動に取り付けられ、図示のごとく保持掛け金具ＲＬにより閉位置と開位置との間で可動である扉体Ｄをさらに含む。図１Ｂは、身長が低く、及び/又は、運動神経が衰えている人物Ｐが、格納部ＳＣの空洞部ＩＣに手荷物Ｌを収納する際、または、空洞部ＩＣから手荷物Ｌを取り出す際に経験する困難性を図示している。特に、そのような人物Ｐにとって頭上荷物収容部ＬＢの床部Ｆの高さＨにまで上方向に手を届かせるのは困難である。場合によっては、アクセス後に手荷物Ｌを空洞部ＩＣの奥にさらに押し込んだり、手荷物Ｌを空洞部ＩＣの奥から引き出さなければならない。
【００１４】
改善された人間工学性およびアクセス性を提供する本発明に従って設計された頭上荷物収容部１０は、図２Ａと図３において、上方から見た斜視図で示されている。図３では、手荷物Ｌは取り出されている。図２Ｂは、頭上荷物収容部１０の改善された人間工学性とアクセス性を明瞭に図示している。特に図２Ｂは、身長が低く、及び/又は、動作が困難な人物Ｐが比較的容易に頭上荷物収容部１０に手荷物Ｌを押し入れたり、そこから引き出したりする様子を図示する。
【００１５】
１例示的実施例では、頭上荷物収容部１０は、手荷物Ｌを収納するための空洞部２１を有する格納部２０を含む。格納部２０は、天井パネル２３（図２Ｂ）、背面パネル２５、床パネル２６、および両側に１対の両端パネル２９を含んでいる。これらのパネルは、連結されて、空洞部２１へのアクセスを提供するように航空機の中央側に面した箱型開口部を提供する。格納部２０は、床パネル２６が所定高１５を有するように機内１２に固定され、頭上荷物収容部１０の下方に着座する旅客に十分なヘッドスペースを提供する。上方扉３０は、可動（例：回動式）に格納部２０に取り付けられている。図示のように上方扉３０は、機内１２の縦方向に延びる天井パネル２３の前端２４にヒンジ式に連結されている。上方扉３０は、閉位置と開位置との間で可動となるように設計されており、格納部の空洞部２１に対するアクセスを提供する。下方扉４０は、可動（例：回動式）に機内１２に取り付けられており、閉位置と開位置との間で同様に可動であり、格納部２０の空洞部２１に対するアクセスを提供する。図示のように下方扉４０は、乗客シート上方に搭載された支持フレームのごとき機内１２の構造要素４２にヒンジ式に連結されている。
【００１６】
格納部２０の床パネル（以降“床部”２６）は、背面パネル２５に隣接する後方の第１部分２７と、第１部分２７に対して可動式に取り付けられた下方扉４０に隣接する前方の第２部分２８とを含む。閉位置では、上方扉３０と下方扉４０は、協調的に作用して格納部２０の空洞部２１を閉じ、格納部内に手荷物を確実に収納する。開位置に移動すると上方扉３０は、格納部２０に対して上方に回動し、下方扉４０は、機内１２に対して下方に回動する。下方扉４０が下方に回動するとき床部２６の第２部分２８は、第１部分２７に対して下方に回動し、下方扉側で外側に延び出る斜面を提供する。このように空洞部２１へのアクセスに必要な垂直高１６は、大きく短縮され、身長が低いか動作が衰えている人物（例：老人）でも手荷物を収納したり取り出すために格納部２０の空洞部２１に対して容易にアクセスできる。すなわち、開位置にある下方扉３０の最下縁部までの垂直高１６は、床部２６の第１部分２７までの所定高１５から大きく短縮されている。１好適実施形態では、床部２６の第２部分２８は、第１部分２７とは少なくとも約５°の角度であり、約４５°を超えることはない。別な好適実施形態では、垂直高１６は、所定高１５よりも約７インチ（約１８ｃｍ）少ない。
【００１７】
頭上荷物収容部１０は、上方扉３０と下方扉４０とを閉位置で保持するように作動し、開位置への移動のために上方扉と下方扉とを解放するように設計されたハンドル５０（保持掛け金具）（図３）をさらに含む。頭上荷物収容部１０は、閉位置と開位置との間で上方扉３０及び/又は、下方扉４０の動作を補助するため、スプリングまたは油圧/空気圧シリンダーのごときバイアス手段（図示せず）をも含むことができる。
【００１８】
ハンドル５０は、両扉が閉位置で閉じられているとき上方扉３０と下方扉４０を保持するように設計された従来のスプリング式保持掛け金具でよい。乗客または、乗務員がハンドル５０を操作して保持掛け金具を解除すると上方扉３０と下方扉４０は閉位置から開位置に移動できる。
【００１９】
図４と図５で示す別な例示的実施例では、頭上荷物収容部１１０には、美観を向上させる特徴がさらに提供されている。特に、頭上荷物収容部１１０は、両端パネル１２９を有し、空洞部１２１を提供する略中空の格納部１２０を含む。少なくとも１体の扉体１３０が、格納部１２０の空洞部１２１へのアクセスを提供するように閉位置と開位置との間で可動に格納部１２０に取り付けられている。格納部は、閉位置から開位置への扉体１３０の動きを可能にするように少なくとも１体のハンドル１５０をさらに含んでいる。凹部１３１を格納部１２０の扉体１３０に形成し、閉位置にてハンドル１５０を扉体１３０の外面と略面一とすることができる。ハンドル１５０は、格納部１２０の両端パネル１２９の一方に隣接して配置されている。両端パネル１２９の一方側でのハンドル１５０の配置は、従来の頭上荷物収容部が装備された航空機内のデザイン的に分断されている印象を低減し、外見的な差別化を提供する。さらに、頭上荷物収容部１１０は、連結状態で組み合わされて長形の印象的外観を提供し、通常の航空機の天井パネルに特に良好にフィットし、機内１１２の他の構造要素にも良好に調和する。さらに、隣接する頭上荷物収容部１１０のハンドル１５０を隣接させて連結配置すると、乗客や乗務員は、２つの頭上荷物収容部を一度に開けることができる。好適には、この少なくとも１体の扉体は、前述し、図５で図示するように上方扉１３０と下方扉１４０とを含む。よって、ハンドル１５０は、乗客に格納部１２０内に収納された手荷物に対する楽なアクセスを提供できるよう引き下げ操作式に設計できる。
【００２０】
図６と図７で示す別な例示的実施例では、頭上荷物収容部１１０は、上方扉１３０の外面１３２に形成された少なくとも１本の隆起線１６０をさらに含んでいる。１例示的実施例では、この外面１３２に形成された隆起線１６０は非直線である。さらに別な実施例では、外面１３２に形成された隆起線１６０は、湾曲線であり、頭上荷物収容部１１０の上方扉１３０の縦方向に延びている。図６に示すように、隆起線１６０は、上方扉１３０の外面１３２に形成されており、格納部１２０の両端パネル１２９間で延びている。図７に示すように、別な隆起線１６２を格納部１２０の両端パネル１２９の１つに隣接するハンドル１５０周囲に提供することもできる。この場合、隣接する頭上荷物収容部１１０の隆起線１６０と１６２は結合して、従来の航空機の天井パネルと機内１１２のその他の設備に適した縦方向設計要素を形成する。さらに別な例示的実施例では、頭上荷物収容部１１０の外面１３２、特に上方扉１３０の外面に形成された少なくとも１本の隆起線１６０及び/又は１６２は、複合形態の湾曲線を形成している。換言すれば、隆起線１６０と１６２は、少なくとも２つの湾曲点を有している。隆起線１６０と１６２は、縦方向および機内１１２の中央側への横方向の一方または両方に延びている。
【００２１】
頭上荷物収容部１１０の外面１３２を標準の機内１１２に使用されている従来の頭上荷物収容部の反射率と比較して相対的に高い反射率を有するように設計することもできる。特に、外面１３２は、機内１２の照明を反射する反射率がアルベドスケールで約０．５０以上である。そのような反射は、吸収される光よりも多くの周囲光を反射する。このようにして頭上荷物収容部１１０の外面１３２は、従来の航空機内で使用されている頭上荷物収容部の比較的平坦なマット調仕上げと比べて相対的にさらに光沢のある外観を有している。好適には、頭上荷物収容部１１０の外面１３２の反射率は、少なくとも約０．６０であり、さらに好適にはその反射率は、少なくとも約０．７５である。“合成光”ではなく “自然光”が、頭上荷物収容部１１０の外面１３２の反射の美観を向上させるために利用できる。例えば、機内１１２で自然光を利用することで雰囲気を和らげて自然感を創出できる。さらに自然光を利用することで乗客の注意を航空機の窓１１８（すなわち航空機の天井）から空側へ向けさせることができる。
【００２２】
図８と図９に示すさらに別な例示的実施例では、頭上荷物収容部２１０は、現在および将来のＲＦＩＤ技術の利用を増加させるＲＦＩＤ読取装置（受信器）２７０をさらに含んでいる。好適には、ＲＦＩＤ読取装置２７０は、後述するように頭上荷物収容部２１０を開ける必要なく、ＲＦＩＤ読取装置の状態が機内客室の乗客または、乗務員によって決定されるように頭上荷物収容部２１０の外面２３２に形成されている。しかしながらＲＦＩＤ読取装置２７０を、例えば格納部２２０の空洞部２２１内等のどこにでも取り付けて、ＲＦＩＤ読取装置の状態をどこからでも容易に視認できる位置に表示させることもできる。あるいは、ＲＦＩＤ読取装置２７０に聴覚表示器を提供することもできる。ＲＦＩＤ読取装置が所定の状態を確認したことを表示するように、ＲＦＩＤ読取装置２７０は、ＲＦＩＤ探知器２７２と関連して作動する。例えば、ＲＦＩＤ読取装置２７０は、電波（ＲＦ）信号を受信し、そのＲＦ信号に対応する物品が格納部２２０の空洞部２２１内に収納されていることを示すように設計することもできる。この特徴は、乗客が航空機から出る際に特に手荷物を探すときの補助となるであろう。別実施例では、乗客の手荷物とチケット控えにＲＦ識別機能を暗号化させて提供し、合致するチケット控えと手荷物が近くにあることを知らせるようにＲＦＩＤ読取装置２７０をプログラムすることができる。ＲＦＩＤ探知器２７２は、例えばＬＥＤ２７４等の視認できる光源を発光させることで、手荷物が対応する格納部２２０の空洞部２２１内に収納されていることを表示する。ＲＦＩＤ読取装置２７０とＲＦＩＤ探知器２７２は、追加の手荷物用の空間を有する頭上荷物収容部２１０を探すために乗客または、乗務員によって使用されてもよい。あるいは、または追加的に、ＲＦＩＤ読取装置２７０は、電波（ＲＦ）信号を受信し、格納部２２０の空洞部２２１内に収納された携帯電話または、コンピュータ等の電子装置２７５のスイッチが“オン”状態であることをＲＦＩＤ探知器２７２に表示させるように設計することもできる。
【００２３】
図１０で示すように、前述の頭上荷物収容部１０、１１０、２１０のどの実施例においても、頭上荷物収容部下の乗客シートへ出入りする乗客（特に老人）を補助するための一体型の手摺２８０をさらに含むことができる。手摺２８０は、頭上荷物収容部１０、１１０、２１０の外面と一体的である。好適には、手摺２８０は、頭上荷物収容部２１０の扉体２３０と一体的であり、格納部２２０の全長に渡って縦方向に延びている。１例示的実施例では、扉体２３０は、格納部２２０上に可動に取り付けられた上方扉２３０と、機内で可動に取り付けられている下方扉２４０とを含んでいる。手摺２８０は、下方扉の動作が手摺の使用を妨害しないように縦方向ヒンジ線２４２方向で下方扉２４０と一体的とすることができる。さらに別な実施例では、上方扉２３０と下方扉２４０は、格納部２２０の空洞部２２１にアクセスさせるように閉位置と開位置との間でそれぞれ可動である。
【００２４】
前述の詳細な説明は、機内の頭上荷物収容部の１以上の実施例について説明したものである。このような頭上荷物収容部は、格納部の空洞部に改良された人間工学性とアクセス性を提供し、さらに快適な美観を提供し、ＲＦＩＤ機能性を改善する。
【図１Ａ】
2010523405.tif 000003
【図１Ｂ】
2010523405.tif 000004
【図２Ａ】
2010523405.tif 000005
【図２Ｂ】
2010523405.tif 000006
【図３】
2010523405.tif 000007
【図４】
2010523405.tif 000008
【図５】
2010523405.tif 000009
【図６】
2010523405.tif 000010
【図７】
2010523405.tif 000011
【図８】
2010523405.tif 000012
【図９】
2010523405.tif 000013
【図１０】
2010523405.tif 000014
【国際調査報告】
2010523405.tif 000015
2010523405.tif 000016
2010523405.tif 000017